(57)【特許請求の範囲】
【請求項１】
家具枠体（１６）に対して可動に取り付けられた家具部分（１５）を引込むためのまたは駆出させるための装置であって、
運搬部材（１）と、
前記運搬部材（１）に可動に取り付けられたバネ荷重された同伴部材（２）と、
前記運搬部材（１）に対して可動であり、前記バネ荷重された同伴部材（２）に解除可能に連結できる連結要素（３）と、
を備え、
前記連結要素（３）に対する前記バネ荷重された同伴部材（２）の移動を制限するガイド（４）が提供されており、
前記ガイド（４）は、
前記連結要素（３）と接続されたガイド部（５）と、
前記ガイド部（５）と協調し、前記運搬部材（１）に提供または固定されているガイド輪郭外形部と、
を含んでおり、
前記ガイド部（５）は、自由端の領域に、前記バネ荷重された同伴部材（２）と前記連結要素（３）との間の相対移動の方向（Ｘ）に配向された突出部（７）を有しており、
前記バネ荷重された同伴部材（２）は、前記運搬部材（１）と共に、前記突出部（７）が導入可能な受領手段を形成する形状部（８）を有している、
ことを特徴とする装置。
【請求項２】
前記ガイド（４）は、前記バネ荷重された同伴部材（２）と前記連結要素（３）との間の相対移動の方向（Ｘ）に対して横断方向の前記バネ荷重された同伴部材（２）と前記連結要素（３）との間の移動を制限する、
ことを特徴とする請求項１記載の装置。
【請求項３】
前記ガイド部（５）は、前記連結要素（３）から分離している、
ことを特徴とする請求項１または２記載の装置。
【請求項４】
前記形状部（８）は、前記運搬部材（１）と共に、前記突出部（７）が導入可能なＵ形状輪郭外形部の受領手段を形成する、
ことを特徴とする請求項１から３のいずれか１項に記載の装置。
【請求項５】
前記連結要素（３）は、前記ガイド部（５）と一体形成されている、
ことを特徴とする請求項１または２に記載の装置。
【請求項６】
前記連結要素（３）は、ピン（１０）を有しており、
前記バネ荷重された同伴部材（２）は、前記ピン（１０）を解除可能に結合可能な溝部（１１）を有している、
ことを特徴とする請求項１から５のいずれか１項に記載の装置。
【請求項７】
前記ピン（１０）は、分離して取り付けられた部分の形態である、
ことを特徴とする請求項６記載の装置。
【請求項８】
前記連結要素（３）は、基部（１２）および／または接続部（１３）を有している、
ことを特徴とする請求項１から７のいずれか１項に記載の装置。
【請求項９】
前記連結要素（３）は、略直角の曲部（１４）を有している、
ことを特徴とする請求項１から８のいずれか１項に記載の装置。
【請求項１０】
前記ガイド部（５）は、前記バネ荷重された同伴部材（２）と前記連結要素（３）の相対移動の方向（Ｘ）において、反対方向に向く２つの対称な突起部（７）を有している、
ことを特徴とする請求項１から９のいずれか１項に記載の装置。
【請求項１１】
前記運搬部材（１）は、収容体形態である、
ことを特徴とする請求項１から１０のいずれか１項に記載の装置。
【請求項１２】
引出し（１５）を引込むためのまたは駆出させるための請求項１から１１のいずれか１項に記載の装置と、
家具枠体（１６）に固定するための枠体レール（１８）と、
可動に取り付けられた家具部分（１５）に固定するための引出しレール（１９）と、
を有する、
引出しガイド（１７）。
【請求項１３】
前記運搬部材（１）が、前記引出しレール（１９）に固定されている、
ことを特徴とする請求項１２記載の引出しガイド（１７）。
【請求項１４】
前記連結要素（３）が、前記枠体レール（１８）に固定されている、
ことを特徴とする請求項１２または１３記載の引出しガイド（１７）。
【請求項１５】
前記運搬部材（１）は、前記枠体レール（１８）に固定されている、
ことを特徴とする請求項１２に記載の引出しガイド（１７）。
【請求項１６】
前記連結要素（３）は、前記引出しレール（１９）に固定されている、
ことを特徴とする請求項１２に記載の引出しガイド（１７）。
【請求項１７】
前記運搬部材（１）は、前記引出しレール（１９）に固定されており、
前記連結要素（３）は、前記枠体レール（１８）に固定されている、
ことを特徴とする請求項１３に記載の引出しガイド（１７）。
【請求項１８】
前記枠体レール（１８）と前記引出しレール（１９）との間に配置された中央レール（２０）が提供されており、前記中央レール（２０）に沿って前記枠体レール（１８）と前記引出しレール（１９）の両方が移動可能である、
ことを特徴とする請求項１２から１７のいずれか１項に記載の引出しガイド（１７）。
【請求項１９】
家具枠体（１６）と、
可動に取り付けられた家具部分（１５）と、
請求項１２に記載の引出しガイド（１７）と、
を備えた家具（２１）であって、
前記可動に取り付けられた家具部分（１５）は、前記装置によって、閉端位置に引込まれるか、または開端位置に駆出される、
ことを特徴とする家具（２１）。
【請求項２０】
前記運搬部材（１）が、前記可動に取り付けられた家具部分（１５）に固定されている、
ことを特徴とする請求項１９記載の家具（２１）。
【請求項２１】
前記連結要素（３）が、前記家具枠体（１６）または前記枠体レール（１８）に固定されている、
ことを特徴とする請求項１９または２０記載の家具（２１）。
【請求項２２】
前記運搬部材（１）は、前記家具枠体（１６）に固定されている、
ことを特徴とする請求項１９に記載の家具（２１）。
【請求項２３】
前記連結要素（３）が、前記可動に取り付けられた家具部分（１５）または前記引出しレール（１９）に固定されている、
ことを特徴とする請求項１９に記載の家具（２１）。
【発明の詳細な説明】
【技術分野】
【０００１】
本発明は、請求項１の分類部分の特徴を有する可動に取り付けられた家具部分を引込むためのまたは駆出させるための装置、そのような装置を有する引出しガイド、およびそのような引出しガイドを有する家具に関する。
【背景技術】
【０００２】
ＥＰ０３９１２２１は、可動に取り付けられた家具部分を引込むためのまたは駆出させるための装置であって、バネ荷重された同伴部材と連結要素とを有する運搬部材を有しており、連結要素は同伴部材に連結され、従って端位置に引込まれることができる、ことを開示している。
【０００３】
ここに概略的に開示された解決策の欠点の一つは、装置が引出しレールと家具枠体レールとに取り付けられているとき、例えば枠体レールと引出しレールとの間の相対的な回転によって、連結要素が同伴部材を通過して移動できることである。連結要素によるこのような同伴部材の過移動は、例えば引出しに大きな荷重がかけられているとき、または閉速度が速いときなど、家具に取り付けられている状態でも発生することがある。その後に引出しを再び開けようとすると、引込装置または駆出装置に損傷を与えることがある。
【０００４】
ＥＰ２４０１９４１Ａ１は、連結要素に対するバネ荷重された同伴部材の移動を制限するガイドを備えた装置を開示している。この開示における構造は、運搬部材と連結要素とが非常に大型で非常に複雑な形状を有するという欠点を有している。
【先行技術文献】
【特許文献】
【０００５】
【特許文献１】ＥＰ０３９１２２１
【特許文献２】ＥＰ２４０１９４１Ａ１
【発明の概要】
【発明が解決しようとする課題】
【０００６】
したがって、本発明の目的は、連結要素による同伴部材の過移動が発生しない、家具枠体に対して可動に取り付けられた家具部分を引込むためのまたは駆出させるための装置を提供することである。
【課題を解決するための手段】
【０００７】
この目的は、請求項１の特徴を有する装置、そのような装置を有する引出しガイド、およびそのような装置を有する家具によって達成される。
【０００８】
請求項１において提供されているガイドは、連結要素に対する同伴部材の移動（特にその相対移動の方向に対して横断方向の移動）を制限するという事実により、連結動作が、特に相対的に大きな力の作用下において、正確に起こるということを保証する。
【０００９】
ガイドは、連結要素と連続するガイド部と、ガイド部と協調し、運搬部材に提供されているかまたは固定されているガイド輪郭外形部とを含んでいる。これは、ガイドが引出しガイドの全長にわたって延びている必要がなく、連結要素が同伴部材に対する連結過程で導入されるという利点を有している。
【００１０】
連結要素が、連結過程中に、同伴部材に対してできるだけ早く導入されるよう、自由端の領域に、ガイド部は、実質的に同伴部材と連結要素との間の相対移動の方向に配向された突出部を有している。
【００１１】
さらに、バネ荷重された同伴部材は、運搬部材と共に、突出部が導入可能な受領手段を形成する形状部を有している。これは係合動作の精度を向上させると共に、連結も連結状態で確実化される。
【００１２】
本発明の別な有利な形態は、従属請求項に記載されている。
【００１３】
本発明の１実施態様では、ガイドは、同伴部材と連結要素との間の相対移動の方向に対して横断方向の同伴部材と連結要素との間の移動を制限するようになっており、それによって連結過程において重要な移動は困難でなくなるか、または妨害されない。
【００１４】
簡単な構造を提供するため、ガイド部は連結要素から分離している。
【００１５】
さらに、形状部は、運搬部材と共に、突出部が導入可能なＵ形状輪郭外形部の受領手段を形成する。
【００１６】
特に好適な１実施態様では、連結要素はピンを有しており、バネ荷重同伴部材は、ピンが解除可能に連結可能な溝部を有しており、特に同伴部材が連結動作において傾いて移動したときに、確実で低摩擦である連結過程を可能にする。
【００１７】
コンパクトな構造を提供するため、連結要素が曲部、好適には略直角の曲部を有しており、それによって引出しまたは枠体レールが包囲され、空間節約形態で、運搬部材を枠体レールまたは引出しレールの側部に取り付けることが可能になる。
【００１８】
連結要素を引出しガイドの向きとは無関係に設置させるため、２つの対称な突出部を連結要素に配置することできる。
【００１９】
汚れの進入を防止するため、または装置を損傷から保護するため、運搬部材を収容体形態にすることができる。
【００２０】
引出しをできるだけ幅広い構造にするため、特に好適には、運搬部材は引出しレールに固定されるか、および／または、連結要素は枠体レールに固定される。
【００２１】
移動物量を最小にするため、運搬部材は枠体レールに固定でき、および／または、連結要素は引出しレールに固定できる。
【００２２】
家具内の空間を最適に利用するため、運搬部材は可動に取り付けられた家具部分に固定される。同じ理由で、連結要素は枠体レールに固定できるだけでなく、連結要素が家具枠体に固定できる場合もある。
【００２３】
移動物量を減少させることと、空間利用を最適にすることとを同時に達成するため、運搬部材は家具枠体に固定できる。
【００２４】
これらの利点を利用するため、連結要素は引出しレールに固定される必要はなく、可動に取り付けられた家具部分にも固定できる。
【図面の簡単な説明】
【００２５】
本発明の別な利点と詳細は、図面およびこれに関連する詳細な説明によって明らかとなるであろう。
【図１ａ】図１ａは、引出しガイドを示しており、バネ荷重された同伴部材と連結要素とは分離されている。
【図１ｂ】図１ｂは、図１ａの引出しガイドの詳細図である。
【図２ａ】図２ａは、引出しガイドを示しており、同伴部材と連結要素とは明らかに連結されていないが、ガイド部とガイド輪郭外形部とは協調している。
【図２ｂ】図２ｂは、図２ａの引出しガイドの詳細図である。
【図３ａ】図３ａは、引出しガイドを示しており、バネ荷重された同伴部材と連結要素とは連結されている。
【図３ｂ】図３ｂは、図３ａの引出しガイドの詳細図である。
【図４ａ】図４ａは、本発明による引出しガイドの断面図である。
【図４ｂ】図４ｂは、図４ａの断面図の詳細図である。
【図５】図５は、本発明による引出しガイドを備えた引出しを示している。
【発明を実施するための形態】
【００２６】
図１ａは、枠体レール１８と引出しレール１９とを有する引出しガイド１７を示している。図１ｂの詳細図は、運搬部材１、バネ荷重された同伴部材２、および連結要素３を示している。バネ荷重された同伴部材２は、連結要素３のピン１０と協調（協働）できる溝部１１を有している。安価で簡単な製造のため、ピン１０は別個に取り付けられた部分の形態である。
【００２７】
連結要素は、２つの対称形状の突出部７と、略直角の曲部１４とを有している。安定した固定と少ない材料の使用との間の妥協を達成するため、連結要素は、幅広の基部１２と、それよりも細い接続部１３とをさらに有している。ガイド４は、ガイド部５とガイド輪郭外形部６とを含んでいる。ここではガイド部５と共に連結要素３は、打ち抜き成形された一体型のシート金属部の形態であり、そのため安価に製造することができる。引出しの動作の方向に対応する、同伴部材と連結要素との間の相対移動の方向Ｘも図示されている。
【００２８】
図２ａと図２ｂは、引出しガイド１７を示しており、ガイド部５はガイド輪郭外形部６と協調しているが、溝部１１とピン１０との間の連結は完全ではない。図２ｂの詳細図は、形状部８がＵ形状輪郭外形部を運搬部材１と共に形成する状態が示されており、シャフトを提供するため、その輪郭外形は引出しレール１９によって閉じられている。
【００２９】
図３ａと図３ｂは、引出しガイド１７を示しており、連結要素は同伴部材に完全に連結されており、すなわちピン１０は溝部１１に係合している。突出部７が形状部８によって形成されたシャフトに係合する状態も示されている。
【００３０】
この係合は、図４ａと図４ｂの断面図でもさらに明確に示されている。特に引出しレール１９によって形成されているシャフト、運搬部材１および形状部８は、シャフトと係合する突出部７と同様に明示されている。図示の実施例は、中央レール２０を備えた形態が関与しており、これは引出しの延伸長を増加させる。しかしながら本発明は、中央レールのない引出しガイド１７に対しても利用できる。
【００３１】
図５は、家具枠体１６、引出し１５および引出し延出ガイド１７を備えた家具２１を示している。
【００３２】
本発明は、上述の実施例に限定されない。ガイドは、ありほぞ輪郭形状を備えたレールの形態、一方が他方の内部に配置された２本の管体を含んだガイドの形態、ピンを備えた溝部の付いたレールの形態、または傾斜した導入部を備えた漏斗形状部材のでもよい。
【図１ａ】
0006050494.tif 000002
【図１ｂ】
0006050494.tif 000003
【図２ａ】
0006050494.tif 000004
【図２ｂ】
0006050494.tif 000005
【図３ａ】
0006050494.tif 000006
【図３ｂ】
0006050494.tif 000007
【図４ａ】
0006050494.tif 000008
【図４ｂ】
0006050494.tif 000009
【図５】
0006050494.tif 000010